(57)【要約】【課題】既存のシャワーヘッドに簡単に取り付けることができ、使い捨て洗浄ノズルは、安価に製造供給ができ、廃棄の際には、有害ゴミとならず、原形を止めずに廃棄でき、生体にやさしい水質・水圧で、安全で手軽な膣内洗浄ができる汎用シャワーヘッド装着使い捨て洗浄ノズルを持つ局所洗浄器を得る。【解決手段】局所洗浄器の各部をを集水カバー、使い捨て洗浄ノズル、使い捨て固定バンド、使い捨て浄水パックに分離し、使い捨て洗浄ノズルの機能と形状を突き詰め、簡単な成形形状で安価に製造でき、柔らかな水流での洗浄を可能にする汎用シャワーヘッド装着使い捨て洗浄ノズルを持つ局所洗浄器とした。【選択図】図１
0003131517.tif 000002
【実用新案登録請求の範囲】
【請求項１】
人体に無害で柔軟な材質で、内面周囲に浄水パックを止めるための浄水パック止めを持ち、外部上面中央に洗浄ノズル挿入穴を持ち、洗浄ノズル挿入穴の左右に使い捨て固定バンドのための位置決め溝を持つ集水カバーと、集水カバー内に納めて水道水を浄化するための使い捨て浄水パックと、既存のシャワーヘッドに集水カバーを固定するための使い捨て固定バンドと、膣内に挿入して洗浄水を注水しながら膣内洗浄をするための使い捨て洗浄ノズルの組み合わせからなり、既存のシャワーヘッドに取り付けて使用する汎用シャワーヘッド装着使い捨て洗浄ノズルを持つ局所洗浄器。
【請求項２】
請求項１に記載の装置において、先端を丸くした筒状の洗浄ノズルの下方に向かって複数のリング状凸部を作り、リング状凸部とリング状凸部の間の凹部中央には、対面する対の注水穴を設け、注水穴に対し９０度の角度でリング状凸部上に、対面する２つの凹部を設けて排水流路を形成し、洗浄ノズルと膣内壁との隙間の３６０度全周に洗浄水を行き渡らせた後、リング状凸部上凹部の２つの排水流路を伝って洗浄水を排水させる構造の洗浄ノズルを持った汎用シャワーヘッド装着使い捨て洗浄ノズルを持つ局所洗浄器。
【請求項３】
請求項１に記載の装置において、人体に無害で柔軟な材質で、請求項２に記載の使い捨て洗浄ノズルを洗浄ノズル挿入穴に装着し、内面周囲に浄水パックを止めるための浄水パック止めを設け、洗浄ノズル挿入穴の左右に使い捨て固定バンドのための位置決め溝を設けた集水カバーで既存シャワーヘッドの散水穴を覆って、使い捨て固定バンドで既存シャワーヘッドに固定し、シャワー水を集めて浄水パックで濾過して洗浄ノズルに送る構造の集水カバーを持つ汎用シャワーヘッド装着使い捨て洗浄ノズルを持つ局所洗浄器。
【考案の詳細な説明】
【技術分野】
【０００１】  本考案は、シャワーヘッドに装着して女性器の膣内洗浄をし清浄するための汎用シャワーヘッド装着使い捨て洗浄ノズルを持つ局所洗浄器に関するものである。
【背景技術】
【０００２】  近年、女性の衛生意識の高まりから、さまざまな種類のビデ、膣内洗浄器等が提案されている。簡単に局所洗浄できるものを大別すると、携帯型と、シャワー利用型がある。【０００３】  携帯型には、特開２００４−２５４７１６膣内洗浄具のような洗浄液内臓のタンポン型を特徴とするもの、特開平０９−１３５８７７洗浄器のようなふいご状圧水容器を特徴とするもの、実公平０７−０１９３５８の膣腔内清浄具のような高給水物質で作成した器具に水を含ませて掻き出すことを特徴とするもの、特開平１１−１０４２１０しずく止め付ななめノズル膣洗浄器のように洗浄ノズルを傾斜させ、しずく止めを付けたことを特徴とするもの、特開２００５−０２７７４１携帯用ビデのように洗浄ノズルを容器で包み込みコンパクト収納を特徴とするもの、実開平０７−０４４９１３携帯用ビデや実開平０７−１８７２８携帯用ビデのような洗浄ノズルを容器内に押し込んでコンパクト収納を特徴とするもの等がある。【０００４】  一方、主にシャワールームでの使用となるシャワー利用型には、シャワーホースジョイント部からの交換型、専用シャワーヘッドへの交換型と、既存シャワーヘッドへの取付型の三種類がある。【０００５】  シャワーホースジョイント部からの交換型では、特開２００６−０８１８０８洗浄器のように圧力調整穴を指により水圧微調整が可能なことを特徴とするもの、特開平０６−００７４０７の挿入型膣洗浄器およびこれを用いた膣洗浄方法のように負圧を利用して液剤を導き出し水道水と混合する事を特徴とするもの、特開平０５−２０００９３の挿入型膣洗浄器のように負圧を利用して水道水と空気を混合することを特徴とするもの、特開平０８−０００７０６膣洗浄具（特許第３４６７３１９号）のように洗浄使用済み液の環流通路を設けたことを特徴とするもの等がある。【０００６】  これらのシャワーホースジョイント部からの交換型機器に共通する問題点は、
１．それぞれが特徴とする機能を持った器具を、シャワーヘッドを外して交換しなければならない、又は、シャワー水栓への追加設備にしなければならないことであり、
２．洗浄ノズル部分は何度も繰り返し使わなければならないことにより、保守管理がむずかしく不衛生になりがちなことである。【０００７】  専用シャワーヘッドへの交換型では、実登３０４１４９３シャワーユニットのように洗浄ノズル取付用の専用シャワーヘッドに交換し、ビデとして使用できることを特徴とするもの、特開２００５−３４９１１０ビデシャワー具のように専用シャワーヘッドに交換した後は、使い捨て洗浄ノズルを簡単に脱着可能にしたことを特徴とするもの、特開平８−８４６７９使い捨てビデを着脱自在としたシャワーのように専用シャワーヘッドに交換後、着脱自在な使い捨て洗浄ノズルを装着しての膣内洗浄と同時に外陰部の洗浄も出来ることを特徴とするもの、特許３７８７７８７シャワーヘッド装着用使い捨てビデノズルのように専用シャワーヘッドに交換後に使う使い捨て洗浄ノズルの洗浄水流形成を特徴とするものなどがある。【０００８】  これらの専用シャワーヘッドへの交換型機器の問題点は、
１．洗浄ノズル部分が使い捨てになり衛生的になった反面、使い捨て洗浄ノズルを着脱可能とするための専用シャワーヘッドに交換しなければならないことである。
２．複雑な形状をした樹脂成型品としての使い捨て洗浄ノズルは、廃棄する際には有害ゴミになってしまうことであり、その形状が、ありありと残ったまま捨てねばならないことになり、使用する側の導入への抵抗感や、使用する事への精神的負荷が大きいことである。
３．使い捨て洗浄ノズルは、それぞれに特異な形状とその機能を特徴としているが、噴射洗浄水の渦流生成など、試験管などの変形しない硬質管の中では可能なことでも状況によって自在に収縮変形する生体内では実現不可能な部分がある。
４．渦流を発生させるほどの水圧により、同一方向からの噴射によって洗浄することは、噴射口付近膣壁の膣内有用菌の死滅や保護粘膜の破壊をまねく危険性が大きい。
５．渦流生成のための膣壁に対する斜め噴射は、起伏を持った膣壁の噴射角度（入射角）に対する反射角部分の洗浄ができない（噴射の当たらない部分が出来る。）。等の問題がある。【０００９】  これらのシャワーホースジョイント部からの交換型と専用シャワーヘッドへの交換型機器の両方に共通する問題点は、
１．シャワーヘッドを外して局所洗浄器に交換しなければならない、又は、シャワー水栓への追加設備にしなければならない器具が多く、経費がかかりすぎる。
２．洗浄ノズル部分を何度も繰り返し使わなければならない器具においては、保守管理がむずかしく不衛生になりがちである。
３．洗浄ノズル部分を使い捨てとした器具においては、使い捨て洗浄ノズルを着脱可能とするために、既存のシャワーヘッドを取り外し専用シャワーヘッドに交換する余計な手間と出費を必要とする。
４．複雑な形状をした樹脂成型品としての使い捨て洗浄ノズルは、廃棄する際には有害ゴミになってしまい、その形状もありありと残ったまま捨てねばならないことで、使用する側の導入への抵抗感や、使用する事への精神的負荷が大きい。
５．噴射洗浄水の渦流生成など、試験管などの変形しない硬質管の中では可能なことでも状況によって自在に収縮変形する生体内では実現不可能な部分がある。
６．渦流を発生させるほどの水圧により、同じ部分を同じ方向からの噴射によって洗浄することは、噴射口付近膣壁の膣内有用菌の死滅や保護粘膜の破壊をまねく危険性が大きい。
７．渦流生成のための膣壁に対する斜め噴射は、起伏を持った膣壁の噴射角度（入射角）に対する反射角部分の洗浄ができない（噴射の当たらない部分が出来る。）
８．すべてのシャワー利用型局所洗浄器においては、水道水を、そのまま使用することになっているが、水道水には、生体内には入れたくない種種雑多な細菌やらゴミの他、水道管のサビなどが含まれている。その水道水を、直接、膣内の洗浄に使うのは、不衛生でもあり危険性もある。等である。
【考案の開示】
【考案が解決しようとする課題】
【００１０】  解決しようとする問題点は、
１．既存のシャワーヘッドを外して専用シャワーヘッドに交換しなければならない、又は、シャワー水栓への追加設備にしなければならない等を省き、どのようなシャワーヘッドにも簡単に取り付けることが出来る汎用型とすることで設備の手間と費用負担を軽減する。
２．洗浄ノズルは使い捨てとし、安価に製造供給が出来、廃棄の際に有害ゴミとならず形状の残らないものにして、使用する側の導入への抵抗感や、使用する事への精神的負荷を小さくする。
３．生体にやさしい水質・水圧で洗浄をするものにする。
【課題を解決するための手段】
【００１１】  汎用シャワーヘッド装着使い捨て洗浄ノズルを持つ局所洗浄器（これより以降、本考案器具と呼ぶ。）は、
１．洗浄器具としての局所洗浄器を、使い捨て洗浄ノズル、集水カバー、使い捨て固定バンドに３分割することで、どのようなシャワーヘッドにも取り付けられる汎用型とし、専用シャワーヘッドを不要にした。
２．洗浄効率を落とさず、使い捨て洗浄ノズル形状を単純化し、安価に製造供給出来るものとした。
３．洗浄ノズルの形状と材質は、洗浄機能を落とさずに安価に製造できるデザインとし、廃棄の際に、その形状を残さぬように、つぶせて燃やせるゴミに出せる材質や、無害な水溶性の材質を使用し、有害ゴミとならず、形状が残らず、使用する事への精神的負荷のないものとした。
４．洗浄ノズルからの注水は、柔らかな水圧でも充分な洗浄効果を持つ洗浄ノズル形状とし、集水カバー内部には浄水パックを設置できるようにする浄水パック止めを設け、浄水パックで濾したきれいな水を洗浄水として注水し（噴射ではない）、水圧・水質共に生体にやさしいものとした。
【考案の効果】
【００１２】  本考案器具は、
１．多くのシャワーへッドに取り付けることが出来る汎用型であり、専用シャワーヘッドへの交換が要らないため、設備費が大幅に抑えられる利点がある。
２．使い捨て洗浄ノズル部分の形状を単純化したため、製造コストを抑えて安価に供給できる利点がある。
３．洗浄ノズル部分は、その形状を残さず廃棄できるため、有害ゴミの排出を抑制でき、使用する事への精神的負荷を与えない利点がある。
４．水圧・水質共に、生体にやさしいものとしたため、局所洗浄が安全・手軽にできる利点がある。
【考案を実施するための最良の形態】
【００１３】  集水カバーの洗浄ノズル挿入穴に洗浄ノズルの根本を挿入すると、集水カバーの伸縮する材質特性によって洗浄ノズルは固定される。次に、、集水カバーの内面周囲にある浄水パック止め部分に浄水パックを引っかけて脱落しないようにし、、既存のシャワーヘッドの散水穴部分を覆うように集水カバーを被せて、集水カバーの位置決め溝に添って使い捨て固定バンドを掛けて、既存シャワーヘッドの裏側でシール部を貼り合わせて止める。ここで、既存のシャワーヘッドが局所洗浄器になる。膣内洗浄は、洗浄ノズルを膣内に挿入し、微弱な水圧で膣内に注水しながら、洗浄ノズルを静かに小さく上下動して洗浄する。
【実施例】
【００１４】  図１は、本考案器具の構成斜視図であり、部品の構成を示す図である。
図２は、本考案器具の組立取付斜視図であり、部品を組んで既存のシャワーヘッドに取り付けた状態を示す図である。
図３は、図２に示すＡ−Ａ’側断面図であり、集水カバー内の浄水パックの設置位置を示す図である。
図４は、実施例側断面図であり、本考案器具による膣内洗浄の水流を示す図である。
図５は、微少上下動実施例側断面図であり、本考案器具による膣内洗浄で洗浄ノズルを微少上下動させる際の水流を示す図である。
図６は、既存の渦流生成型洗浄ノズルの実施例側断面図であり、その既存の器具による理論上の膣内洗浄水流を示す図である。
図７は、既存の渦流生成型洗浄ノズルの実験例側断面図であり、その既存の器具による膣内洗浄の際に水流が偏る状態を示す図である。
図８は、図４に示すＢ−Ｂ’断面図であり、注水した（噴射ではない）洗浄水の膣内壁への回り込みと排水までの水流を示す図である。
図９は、図６に示すＣ−Ｃ’断面図であり、既存の渦流生成型洗浄ノズルの理論上の噴射洗浄水流を示す図である。
図１０は、図７に示すＤ−Ｄ’断面図であり、既存の渦流生成型洗浄ノズルによる膣内洗浄の際に水流が偏る状態を示す図である。
図１１は、女性器断面図であり、膣と他の内臓器官との位置関係を示す図である。【００１５】  図１は、本考案器具の構成斜視図であり、部品の構成を示す図である。
集水カバー３の洗浄ノズル挿入穴５に洗浄ノズル１の根本を挿入すると、集水カバー３の伸縮する材質特性によって洗浄ノズル１は固定される。次に、、集水カバー３の内面周囲にある浄水パック止め１５部分に浄水パック１４を引っかけて脱落しないように止め、既存のシャワーヘッド９の散水穴部分を覆うように集水カバー３を被せて、集水カバーの位置決め溝４に添って使い捨て固定バンド６を掛けて、既存シャワーヘッド９の裏側でシール部８を貼り合わせて止める。ここで、既存のシャワーヘッドが局所洗浄器になる。【００１６】  図２は、本考案器具の組立取付斜視図であり、部品を組んで既存のシャワーヘッドに取り付けた状態を示す図であり、図３は、図２に示すＡ−Ａ’側断面図であり、集水カバー内の浄水パックの設置位置を示す図である。伸縮する材質の集水カバー３の内面周囲に設けた浄水パック止め１５によって浄水パック１４は支持されて脱落を防止する。【００１７】  図４は、実施例側断面図であり、本考案器具による膣内洗浄の水流を示す図である。
シャワーヘッドの散水穴から出た水道水は、集水カバー３内に設置した浄水パック１４により浄化され、膣１１内に挿入された洗浄ノズル１内に満たされ注水穴２から膣１１内に注水され、洗浄ノズル１と膣壁との間に矢印に示すように回り込む。２つの膣壁接触部１２間を満たした洗浄水は、図中のＢ−Ｂ’断面である図８に示す排水流路１６を伝って図４中の縦矢印で示す方向に流れ膣口１０から排出される。【００１８】  図５は、微少上下動実施例側断面図であり、本考案器具による膣内洗浄で洗浄ノズルを微少上下動させる際の水流を示す図である。図４に示す洗浄においては膣壁接触部１２部分は洗浄水が回らないため、図中の縦往復矢印方向に微少上下動させて膣壁接触部１２をずらすことにより洗浄する。その際、最も集水カバー３に近い注水穴２は、図５に示すごとく膣口１０から外に出るため、外陰部洗浄の役割も兼ねる。図５においては、上下動を説明するために、極端に膣口１０から洗浄ノズル１を引き出した図にしてあるが、実際には、これほどに引き出すことにはならないので外陰部洗浄の役割を兼ねることになる。【００１９】  図６は、既存の渦流生成型洗浄ノズルの実施例側断面図であり、その既存の器具による理論上の膣内洗浄水流を示す図である。専用シャワーヘッドから供給された洗浄水は、膣１１内に挿入された洗浄ノズル１に設けられた噴出口２ｂから洗浄水を噴射させ、図中のＣ−Ｃ’断面である図９に示す矢印のごとき水流１３を形成して膣壁接触部１２間を通過させて洗浄し、膣壁接触部１２間に出来る４本の排水流路から洗浄水を排出するという理論である。【００２０】図７は、既存の渦流生成型洗浄ノズルの実験例側断面図であり、その既存の器具による膣内洗浄の際に水流が偏る状態を示す図である。理論上は、膣１１内の中央で渦流を形成し、膣壁を洗浄した洗浄水は、膣壁接触部１２間に出来る４本の排水流路から流れ出ることになるが、膣１１は、試験管のような硬質管ではなく、図１１に示すような膀胱１７や大腸１８などとの調和の上に成り立つ生体であり、人の意志とは無関係に自在に収縮変形をする器官である。その中で、洗浄水の渦流を形成しようとしても、図６中のＣ−Ｃ’断面を示す図９のように洗浄ノズル１を膣１１の中央に維持することはむずかしく、図７中のＤ−Ｄ’断面を示す図１０に示すように、膣壁接触部１２以外の洗浄ノズル１と膣壁との間に出来る空間が、すべて排水流路となってしよう構造の渦流生成型洗浄ノズルでは、一度、４本の内のどれかに排水流路が形成されてしまうと、他の排水流路の水流は弱くなり、洗浄水の渦流形成は不可能になる。無理に、渦流形成をするため、噴出口２ｂからの噴射圧を高めれば、膣壁接触部１２付近の膣内有用菌の死滅や保護粘膜の破壊をまねく危険性が大きい。【００２１】図８は、図４に示すＢ−Ｂ’断面図であり、注水した（噴射ではない）洗浄水の膣内壁への回り込みと排水までの水流を示す図である。注水穴２に向かう洗浄ノズル１内部の太い矢印で示す水流１３は、膣壁接触部１２と膣壁接触部１２の間に出来る膣壁と洗浄ノズル１の間の隙間に細い矢印で示す水流１３が示すように流れ込み膣内の汚れを運んで、洗浄ノズル１に設けた複数の膣壁接触部１２の凹み部分が形��する２本の排水流路１６を伝わって膣口方面に向かって流れ排出する。注水穴２からの水流は、既存の渦流生成型洗浄ノズルに見られるような噴射ではなく、微弱な柔らかい水流による注水であり、膣内有用菌の死滅や膣粘膜の破壊をまねくことはない。【００２２】図９は、図６に示すＣ−Ｃ’断面図であり、既存の渦流生成型洗浄ノズルの、理論上の噴射洗浄水流を示す図である。洗浄ノズルに斜めに開けられた噴出口２ｂからの水流が膣壁接触部１２と膣壁の間を通過して渦流を生成するという理論図である。しかし、この理論は、試験管のごとき硬質管内であれば可能であるが、人の意志とは無関係に自在に収縮変形をする生体器官である膣では不可能である。【００２３】図１０は、図７に示すＤ−Ｄ’断面図であり、既存の渦流生成型洗浄ノズルによる膣内洗浄の際、水流が偏る状態を示す図である。断面において、図８に示す本考案器具のの膣壁接触部１２が膣壁円周上を回り、僅かに２個所の排水流路１６部分のみ非接触部が存在するだけなのに対し、膣壁接触部１２が４点で洗浄ノズル１の縦方向に伸びている構造となっているため、膣壁接触部１２以外の洗浄ノズル１と膣壁との間に出来る空間は、すべて排水流路となってしまう。排水流路断面積が大きすぎるため、洗浄水による渦流形成がなされる前に、排出方向に流れ出てしまうことに加え、その４本の内のどれかに太矢印の水流１３に示すごとく主たる排水流路が形成されてしまうと、他の排水流路の水流１３が細矢印で示す水流１３のようには弱くなり、膣１１中央に洗浄ノズル１を止められず、水流が弱くなった方向に洗浄ノズル１を押しつけられることで洗浄水の渦流形成は不可能になる。無理に、渦流形成をするため、噴出口２ｂからの噴射圧を高めれば、膣壁接触部１２付近の膣内有用菌の死滅や保護粘膜の破壊をまねく危険性が大きい。【００２４】図１１は、女性器断面図であり、膣と他の内臓器官との位置関係を示す図である。
前には膀胱１７があり、後には大腸１８があり、それらに挟まれて膣１１は存在している。
【産業状の利用可能性】
【００２５】  本考案の汎用シャワーヘッド装着使い捨て洗浄ノズルを持つ局所洗浄器によって、専用シャワーヘッドへの交換が要らず、どのようなシャワーヘッドにも取り付け可能で導入費用がかからず、注水穴からの注水により洗浄ノズルと膣壁との隙間を洗浄水で満たすことでやさしい洗浄をする洗浄ノズルは、つぶせて燃やせるゴミに出せたり、無害な水溶性で溶かせたりするため、廃棄の際に形状を残すことによる使用者側の導入への抵抗感、精神的負荷をを取り除け、集水カバー内に設置した浄水パックで水道水を濾過して、きれいな水を使うことで、安全・手軽に、従来にない衛生的な局所洗浄が可能になり、家庭用としても、業務用としても、大いに役立つ。
【図面の簡単な説明】
【００２６】
【図１】構成斜視図である。
【図２】組立取付斜視図である。
【図３】図２に示すＡ−Ａ’側断面図である。
【図４】実施例側断面図である。
【図５】微少上下動実施例側断面図である。
【図６】既存の渦流生成型洗浄ノズルの実施例側断面図である。
【図７】既存の渦流生成型洗浄ノズルの実験例側断面図である。
【図８】図４に示すＢ−Ｂ’断面図である。
【図９】図６に示すＣ−Ｃ’断面図である。
【図１０】図７に示すＤ−Ｄ’断面図である。
【図１１】女性器断面図である。
【符号の説明】
【００２７】１  洗浄ノズル
２  注水穴
２ｂ  噴出口
３  集水カバー
４  位置決め溝
５  洗浄ノズル挿入穴
６  使い捨て固定バンド
７  位置決めシール部
８  シール部
９  シャワーヘッド
１０  膣口
１１  膣
１２  膣壁接触部
１３  水流
１４  浄水パック
１５  浄水パック止め
１６  排水流路
１７  膀胱
１８  大腸
１９  子宮
【図１】
0003131517.tif 000003
【図２】
0003131517.tif 000004
【図３】
0003131517.tif 000005
【図４】
0003131517.tif 000006
【図５】
0003131517.tif 000007
【図６】
0003131517.tif 000008
【図７】
0003131517.tif 000009
【図８】
0003131517.tif 000010
【図９】
0003131517.tif 000011
【図１０】
0003131517.tif 000012
【図１１】
0003131517.tif 000013
【手続補正書】
【提出日】平成19年1月30日(2007.1.30)
【手続補正１】
【補正対象書類名】実用新案登録請求の範囲
【補正対象項目名】全文
【補正方法】変更
【補正の内容】
【実用新案登録請求の範囲】
【請求項１】
人体に無害で柔軟な材質で、内面周囲に浄水パックを止めるための浄水パック止めを持ち、外部上面中央に洗浄ノズル挿入穴を持ち、洗浄ノズル挿入穴の左右に使い捨て固定バンドのための位置決め溝を持つ集水カバーと、集水カバー内に納めて水道水を浄化するための使い捨て浄水パックと、シャワーヘッドに集水カバーを固定するための使い捨て固定バンドと、膣内に挿入して洗浄水を注水しながら膣内洗浄をするための使い捨て洗浄ノズルの組み合わせからなり、シャワーヘッドに取り付けて使用する汎用シャワーヘッド装着使い捨て洗浄ノズルを持つ局所洗浄器。
【請求項２】
請求項１に記載の汎用シャワーヘッド装着使い捨て洗浄ノズルを持つ局所洗浄器において、先端を丸くした筒状の洗浄ノズルの下方に向かって複数のリング状凸部を作り、リング状凸部とリング状凸部の間の凹部中央には、対面する対の注水穴を設け、注水穴に対し９０度の角度でリング状凸部上に、対面する２つの凹部を設けて排水流路を形成し、洗浄ノズルと膣内壁との隙間の３６０度全周に洗浄水を行き渡らせた後、リング状凸部上凹部の２つの排水流路を伝って洗浄水を排水させる構造の洗浄ノズルを持った汎用シャワーヘッド装着使い捨て洗浄ノズルを持つ局所洗浄器。
【請求項３】
請求項２に記載の汎用シャワーヘッド装着使い捨て洗浄ノズルを持つ局所洗浄器において、人体に無害で柔軟な材質で、使い捨て洗浄ノズルを洗浄ノズル挿入穴に装着し、内面周囲に浄水パックを止めるための浄水パック止めを設け、洗浄ノズル挿入穴の左右に使い捨て固定バンドのための位置決め溝を設けた構造の集水カバーを持った汎用シャワーヘッド装着使い捨て洗浄ノズルを持つ局所洗浄器。
【手続補正２】
【補正対象書類名】明細書
【補正対象項目名】０００９
【補正方法】変更
【補正の内容】
【０００９】  これらのシャワーホースジョイント部からの交換型と専用シャワーヘッドへの交換型機器の両方に共通する問題点は、
１．シャワーヘッドを外して局所洗浄器に交換しなければならない、又は、シャワー水栓への追加設備にしなければならない器具が多く、経費がかかりすぎる。
２．洗浄ノズル部分を何度も繰り返し使わなければならない器具においては、保守管理がむずかしく不衛生になりがちである。
３．洗浄ノズル部分を使い捨てとした器具においては、使い捨て洗浄ノズルを着脱可能とするために、シャワーヘッドを取り外し専用シャワーヘッドに交換する余計な手間と出費を必要とする。
４．複雑な形状をした樹脂成型品としての使い捨て洗浄ノズルは、廃棄する際には有害ゴミになってしまい、その形状もありありと残ったまま捨てねばならないことで、使用する側の導入への抵抗感や、使用する事への精神的負荷が大きい。
５．噴射洗浄水の渦流生成など、試験管などの変形しない硬質管の中では可能なことでも状況によって自在に収縮変形する生体内では実現不可能な部分がある。
６．渦流を発生させるほどの水圧により、同じ部分を同じ方向からの噴射によって洗浄することは、噴射口付近膣壁の膣内有用菌の死滅や保護粘膜の破壊をまねく危険性が大きい。
７．渦流生成のための膣壁に対する斜め噴射は、起伏を持った膣壁の噴射角度（入射角）に対する反射角部分の洗浄ができない（噴射の当たらない部分が出来る。）
８．すべてのシャワー利用型局所洗浄器においては、水道水を、そのまま使用することになっているが、水道水には、生体内には入れたくない種種雑多な細菌やらゴミの他、水道管のサビなどが含まれている。その水道水を、直接、膣内の洗浄に使うのは、不衛生でもあり危険性もある。等である。
【手続補正３】
【補正対象書類名】明細書
【補正対象項目名】００１０
【補正方法】変更
【補正の内容】
【００１０】  解決しようとする問題点は、
１．シャワーヘッドを外して専用シャワーヘッドに交換しなければならない、又は、シャワー水栓への追加設備にしなければならない等を省き、どのようなシャワーヘッドにも簡単に取り付けることが出来る汎用型とすることで設備の手間と費用負担を軽減する。
２．洗浄ノズルは使い捨てとし、安価に製造供給が出来、廃棄の際に有害ゴミとならず形状の残らないものにして、使用する側の導入への抵抗感や、使用する事への精神的負荷を小さくする。
３．生体にやさしい水質・水圧で洗浄をするものにする。
【手続補正４】
【補正対象書類名】明細書
【補正対象項目名】００１３
【補正方法】変更
【補正の内容】
【００１３】  集水カバーの洗浄ノズル挿入穴に洗浄ノズルの根本を挿入すると、集水カバーの伸縮する材質特性によって洗浄ノズルは固定される。次に、集水カバーの内面周囲にある浄水パック止め部分に浄水パックを引っかけて脱落しないようにし、シャワーヘッドの散水穴部分を覆うように集水カバーを被せて、集水カバーの位置決め溝に添って使い捨て固定バンドを掛けて、シャワーヘッドの裏側でシール部を貼り合わせて止める。ここで、シャワーヘッドが局所洗浄器になる。膣内洗浄は、洗浄ノズルを膣内に挿入し、微弱な水圧で膣内に注水しながら、洗浄ノズルを静かに小さく上下動して洗浄する。
【手続補正５】
【補正対象書類名】明細書
【補正対象項目名】００１４
【補正方法】変更
【補正の内容】
【００１４】  図１は、本考案器具の構成斜視図であり、部品の構成を示す図である。
図２は、本考案器具の組立取付斜視図であり、部品を組んでシャワーヘッドに取り付けた状態を示す図である。
図３は、図２に示すＡ−Ａ’側断面図であり、集水カバー内の浄水パックの設置位置を示す図である。
図４は、実施例側断面図であり、本考案器具による膣内洗浄の水流を示す図である。
図５は、微少上下動実施例側断面図であり、本考案器具による膣内洗浄で洗浄ノズルを微少上下動させる際の水流を示す図である。
図６は、既存の渦流生成型洗浄ノズルの実施例側断面図であり、その既存の器具による理論上の膣内洗浄水流を示す図である。
図７は、既存の渦流生成型洗浄ノズルの実験例側断面図であり、その既存の器具による膣内洗浄の際に水流が偏る状態を示す図である。
図８は、図４に示すＢ−Ｂ’断面図であり、注水した（噴射ではない）洗浄水の膣内壁への回り込みと排水までの水流を示す図である。
図９は、図６に示すＣ−Ｃ’断面図であり、既存の渦流生成型洗浄ノズルの理論上の噴射洗浄水流を示す図である。
図１０は、図７に示すＤ−Ｄ’断面図であり、既存の渦流生成型洗浄ノズルによる膣内洗浄の際に水流が偏る状態を示す図である。
図１１は、女性器断面図であり、膣と他の内臓器官との位置関係を示す図である。
【手続補正６】
【補正対象書類名】明細書
【補正対象項目名】００１５
【補正方法】変更
【補正の内容】
【００１５】  図１は、本考案器具の構成斜視図であり、部品の構成を示す図である。
集水カバー３の洗浄ノズル挿入穴５に洗浄ノズル１の根本を挿入すると、集水カバー３の伸縮する材質特性によって洗浄ノズル１は固定される。次に、集水カバー３の内面周囲にある浄水パック止め１５部分に浄水パック１４を引っかけて脱落しないように止め、シャワーヘッド９の散水穴部分を覆うように集水カバー３を被せて、集水カバーの位置決め溝４に添って使い捨て固定バンド６を掛けて、シャワーヘッド９の裏側でシール部８を貼り合わせて止める。ここで、シヤワーヘッド９が局所洗浄器になる。
【手続補正７】
【補正対象書類名】明細書
【補正対象項目名】００１６
【補正方法】変更
【補正の内容】
【００１６】  図２は、本考案器具の組立取付斜視図であり、部品を組んでシャワーヘッドに取り付けた状態を示す図であり、図３は、図２に示すＡ−Ａ’側断面図であり、集水カバー内の浄水パックの設置位置を示す図である。伸縮する材質の集水カバー３の内面周囲に設けた浄水パック止め１５によって浄水パック１４は支持されて脱落を防止する。